(57)【要約】【課題】車で視聴した放送番組のうち視聴者が希望する部分のテレビ番組を、家で容易に再生することができる移動体受信装置、記録再生装置および送受信システムを提供する。【解決手段】記録再生装置１００は、放送番組を受信する受信部１０１と、受信した放送番組を記録する記録部１０２と、記録した放送番組を再生する再生部１０３、移動体受信装置２００の再生補助データ生成部２０３で生成された再生補助データを取得する通信部１０４と、受信した再生補助データを管理するデータ管理部１０５を備え、記録再生装置１００の記録部１０２は、少なくとも移動体受信装置２００の移動体受信部２０１で受信した放送番組を記録しており、再生補助データに基づいて記録した放送番組を再生する。【選択図】図１
2005277641.tif 000002
【特許請求の範囲】
【請求項１】
移動体に搭載され放送番組を受信してユーザに提供する移動体受信装置と、受信した放送番組を記録して前記移動体受信装置から取得したデータに基づいて再生を行う記録再生装置とから構成された送受信システムにおいて、
前記移動体受信装置は、
放送番組を受信する移動体受信手段と、
受信した前記放送番組を再生する移動体再生手段と、
前記放送番組の局番情報を含む放送番組データと、該放送番組においてユーザが視聴困難または再視聴を希望する区間を示す検出データとを含む再生補助データを生成する再生補助データ生成手段と、
前記再生補助データを送出する再生補助データ送出手段とを備え、
前記記録再生装置は、
前記放送番組を受信する受信手段と、
受信した前記放送番組を記録する記録手段と、
前記再生補助データ送出手段から送出された前記再生補助データを取得する再生補助データ取得手段と、
前記記録手段により記録された放送番組を前記再生補助データに基づいて再生する再生手段と、
を備えたことを特徴とする送受信システム。
【請求項２】
前記検出データは、前記移動体受信手段における放送番組の電波受信状況に関する電波受信状況データと、移動体の走行・停止状態に関する移動状況データと、ユーザが再視聴を希望する区間を示すマーキングデータのうち少なくともひとつ含む、請求項１に記載の送受信システム。
【請求項３】
放送番組を受信する移動体受信手段と、
受信した前記放送番組を再生する移動体再生手段と、
前記放送番組の局番情報を含む放送番組データと、該放送番組においてユーザが視聴困難または再視聴を希望する区間を示す検出データとを含む再生補助データを生成する再生補助データ生成手段と、
前記再生補助データを送出する再生補助データ送出手段と、
を備えたことを特徴とする移動体受信装置。
【請求項４】
移動体に搭載され放送番組を受信してユーザに提供する移動体受信装置が生成する再生補助データを取得して、記録した放送番組を前記再生補助データに基づいて再生する記録再生装置であって、
前記再生補助データは、放送番組の局番情報を含む放送番組データと、該放送番組においてユーザが視聴困難または再視聴を希望する区間を示す検出データとを含み、
放送番組を受信する受信手段と、
受信した前記放送番組を記録する記録手段と、
前記再生補助データを取得する再生補助データ取得手段と、
前記記録手段により記録された放送番組を前記再生補助データに基づいて再生する再生手段と、
を備えたことを特徴とする記録再生装置。
【請求項５】
前記再生手段によって再生された放送番組を表示する表示手段をさらに備え、
前記再生手段は前記記録手段に記録された放送番組とともに前記再生補助データに含まれる情報を同時に前記表示手段に表示することを特徴とする請求項４に記載の記録再生装置。
【発明の詳細な説明】
【技術分野】
【０００１】
本発明は、移動体に搭載され放送番組を受信する移動体受信装置と、移動体受信装置からのデータに基づいて放送番組を再生する記録再生装置および送受信システムに関するものである。
【背景技術】
【０００２】
車載用のテレビ放送受信装置の普及により、車でもテレビ番組を視聴できるようになった。最近では、通信機能を備えることで、他の電子機器とデータ通信を行うことのできるものが提案されている。
【０００３】
例えば、車載用のテレビ放送受信装置と家庭用のテレビ番組録画装置との間でデータ通信を行う送受信システムがある。このシステムでは、車が家に到着した時に、車側から家側に車内で視聴しているテレビ番組のチャンネル情報などを含むデータを送信し、家では、受信したデータに基づいて所望のテレビ番組の録画を開始し、ユーザが帰宅した後に録画した番組を再生するようにしている。これにより、例えば車を降りてから家まで移動する間に視聴することのできなかったテレビ番組を途切れることなく視聴することができる（例えば、特許文献１参照）。
【特許文献１】特開２００２−２９０３５０号公報
【発明の開示】
【発明が解決しようとする課題】
【０００４】
しかしながら、前記従来の送受信システムにおける記録再生装置は、走行中であったために、映像が表示できなかった部分や、受信状況が悪く画像が乱れた部分や、視聴者が家でも見たいと思ったシーンなど、希望する部分のテレビ番組を容易に再生することができなかった。
【０００５】
本発明は、上記の事情に鑑みてなされたものであり、車載用の放送受信装置における放送番組の視聴状況に関する各種データを受信し、再生の際に利用することで、車内で視聴した放送番組のうち、視聴者が希望する部分の放送番組を容易に再生することができる移動体受信装置、記録再生装置および送受信システムを提供することを目的とする。
【課題を解決するための手段】
【０００６】
前記従来の課題を解決するために、本発明の送受信システムは、移動体に搭載され放送番組を受信してユーザに提供する移動体受信装置と、受信した放送番組を記録して前記移動体受信装置から取得したデータに基づいて再生を行う記録再生装置とから構成された送受信システムにおいて、移動体受信装置は、放送番組を受信する移動体受信手段と、受信した放送番組を再生する移動体再生手段と、放送番組の局番情報を含む放送番組データと、放送番組においてユーザが視聴困難または再視聴を希望する区間を示す検出データとを含む再生補助データを生成する再生補助データ生成手段と、再生補助データを送出する再生補助データ送出手段とを備え、記録再生装置は、放送番組を受信する受信手段と、受信した放送番組を記録する記録手段と、再生補助データ送出手段から送出された再生補助データを取得する再生補助データ取得手段と、記録手段により記録された放送番組を再生補助データに基づいて再生する再生手段とを備えたことを特徴とする。
【０００７】
また、好ましくは、検出データは、移動体受信手段における放送番組の電波受信状況に関する電波受信状況データと、移動体の走行・停止状態に関する移動状況データと、ユーザが再視聴を希望する区間を示すマーキングデータのうち少なくともひとつ含む。
【０００８】
また、本発明の移動体受信装置は、放送番組を受信する移動体受信手段と、受信した放送番組を再生する移動体再生手段と、放送番組の局番情報を含む放送番組データと、放送番組においてユーザが視聴困難または再視聴を希望する区間を示す検出データとを含む再生補助データを生成する再生補助データ生成手段と、再生補助データを送出する再生補助データ送出手段とを備える。
【０００９】
また、本発明の記録再生装置は、移動体に搭載され放送番組を受信してユーザに提供する移動体受信装置が生成する再生補助データを取得して、記録した放送番組を再生補助データに基づいて再生する記録再生装置であって、再生補助データは、放送番組の局番情報を含む放送番組データと、放送番組においてユーザが視聴困難または再視聴を希望する区間を示す検出データとを含み、放送番組を受信する受信手段と、受信した放送番組を記録する記録手段と、再生補助データを取得する再生補助データ取得手段と、記録手段により記録された放送番組を再生補助データに基づいて再生する再生手段とを備えたことを特徴とする。
【００１０】
また、記録再生装置は、好ましくは、再生手段によって再生された放送番組を表示する表示手段をさらに備え、再生手段は記録手段に記録された放送番組とともに再生補助データに含まれる情報を同時に表示手段に表示する。
【発明の効果】
【００１１】
本発明の移動体受信装置、記録再生装置および送受信システムによれば、移動体受信装置で視聴した放送番組のうち、視聴者が視聴困難であった部分の放送番組または再視聴を希望する部分の放送番組を容易に再生して視聴することができる。
【発明を実施するための最良の形態】
【００１２】
以下、本発明の実施の形態について、図面を参照しながら説明する。
【００１３】
本実施の形態では、家に設置されたテレビ番組録画装置（以下、記録再生装置と呼ぶ）と車に搭載されたテレビ放送受信装置（以下、移動体受信装置と呼ぶ）とにおいて、車内におけるテレビ番組の視聴状況に関するデータ（以下、再生補助データと呼ぶ）を車から家に送信し、家では、受信した再生補助データに基づいて、録画したテレビ番組を再生する送受信システムについて説明する。
【００１４】
図１は本発明の実施の形態に係る送受信システムの構成を示すブロック図である。
【００１５】
この送受信システムは、再生補助データの受信側である記録再生装置１００と、再生補助データの送信側である移動体受信装置２００とから構成されている。
【００１６】
記録再生装置１００は、テレビ放送番組を受信する受信部１０１、受信した放送番組を記録する記録部１０２、記録した放送番組を再生する再生部１０３、移動体受信装置２００から再生補助データを受信する通信部１０４、受信した再生補助データを管理するデータ管理部１０５から構成されている。
【００１７】
さらに、記録再生装置１００の再生部１０３は再生信号を表示する表示部１０６と接続されている。
【００１８】
一方、移動体受信装置２００は、テレビ放送番組を受信する移動体受信部２０１、受信した放送番組を再生する移動体再生部２０２、外部で生成された各種データに基づいて再生補助データを生成する再生補助データ生成部２０３、生成された再生補助データを管理する再生補助データ管理部２０４、再生補助データを記録再生装置１００に送信する移動体通信部２０５から構成されている。移動体受信部２０１は、再生補助データ生成部２０３に接続されており、受信しているテレビ番組の視聴日時やチャンネル情報を含む放送番組データを生成する。
【００１９】
さらに、移動体受信装置２００の再生補助データ生成部２０３は、電波受信状況に関する電波受信状況データを生成する電波受信状況検知部２０６、移動状況に関する移動状況データを生成する移動状況検知部２０７、操作入力に関するマーキングデータを生成する操作入力部２０８に接続されている。
【００２０】
ここで、記録再生装置１００と移動体受信装置２００は、無線通信やインターネットなどを介して再生補助データの通信を行う。また、記録再生装置１００の記録部１０２には、複数のチャンネルを並行して録画することが可能な大容量のハードディスクなどを用いる。また、再生補助データが管理される記録再生装置１００のデータ管理部１０５および移動体受信装置２００の再生補助データ管理部２０４には、デジタルデータの保存が可能なハードディスクやリムーバブルメディアなどを用いる。また、移動体受信装置２００の再生補助データ生成部２０３に接続される移動状況検知部２０７には、位置情報を取得可能なＧＰＳ端末機や、走行速度情報を検出可能な速度センサなどを用いる。また、移動体受信装置２００の再生補助データ生成部２０３に接続される操作入力部２０８は、視聴者による操作入力が検出可能な操作スイッチやリモコンなどを用いる。
【００２１】
次に、上記のように構成されたデータ送受信システムにおいて、移動体受信装置２００の再生補助データ生成部２０３が再生補助データを生成する動作について説明する。図２は、移動体受信装置２００の再生補助データ生成部２０３において再生補助データを生成する動作を示すフローチャートである。
【００２２】
まず、外部で生成された各種データを再生補助データ生成部２０３が検出 （ステップＳ１０１）する。次に、検出したデータに基づいて再生補助データを生成する（ステップＳ１０２）。生成した再生補助データを再生補助データ管理部２０４に格納（ステップＳ１０３）し、処理を終了する。
【００２３】
図２のフローチャートのステップＳ１０１で検出する各種データは、移動体受信部２０１で生成されるデータ（以下、放送番組データと呼ぶ）と、電波状況検出部２０６、移動状況検知部２０７、操作入力部２０８で生成されるデータ（以下、検出データと呼ぶ）の２種類である。以下、電波受信状況検知部２０６で生成されるデータを電波受信状況データ、移動状況検知部２０７で生成されるデータを移動状況データ、操作入力部２０８で生成されるデータをマーキングデータと呼ぶ。
【００２４】
図３は、移動体受信装置２００の再生補助データ生成部２０３において生成される再生補助データの内容を示す模式図である。再生補助データ１１０は、放送番組データ２１０と検出データ３１０とを含むデータである。また、検出データは、電波受信状況データと移動状況データとマーキングデータとをすべて含むデータである。なお、この例における検出データは、電波受信状況データ、移動状況データ、マーキングデータの全てを含んでいるが、実際には３つのデータのうち少なくともひとつを含むデータであればよい。
【００２５】
図４は、図２のフローチャートのステップＳ１０２において、再生補助データを生成する動作の詳細を示すフローチャートである。
【００２６】
まず、図４のフローチャートにおいて、検出したデータがチャンネルの切換えである場合（ステップＳ１０２−１）は、放送番組データを生成する（ステップＳ１０２−２）。図５は、ステップＳ１０２−２で生成される放送番組データの一例を示す模式図であり、（ａ）は移動体受信装置２００における視聴状況を示しており、（ｂ）は放送番組データを示している。
【００２７】
放送番組データは、移動体受信部２０１で受信しているテレビ番組に関する基本的な情報（例えば、視聴日時やチャンネル情報）に基づいて移動体受信部２０１で生成されるデータである。図５（ｂ）の放送番組データは、日付‘ＡＡＡ’の時刻１６：２２から１９：４２の間にチャンネル‘１１１’、‘２２２’、‘３３３’を視聴したことを表している。
【００２８】
次に、図４におけるフローチャートにおいて、検出したデータが電波受信状況変化である場合（ステップＳ１０２−３）は、電波受信状況データを生成する（ステップＳ１０２−４）。図６は、ステップＳ１０２−３で生成される電波受信状況データの一例を示す模式図であり、（ａ）電波受信状況検知部２０６で取得した信号雑音の時間推移、（ｂ）移動体受信装置２００における視聴状況、（ｃ）電波受信状況データである。
【００２９】
電波受信状況データは、電波受信状況検知部２０６が取得した電波受信状況に関する情報に基づいて生成されるデータである。この例では、図６（ａ）のように、取得した信号雑音に対して閾値を設定し、信号雑音が閾値より大きい場合には受信状況が悪いと認識する。図６（ｂ）の塗りつぶしのある部分は受信状況が悪い時間帯を示している。図６（ｃ）の電波受信状況データは、受信状況が悪かった時間帯の開始時刻と終了時刻の情報を含んでいる。
【００３０】
なお、図６の電波受信状況データは、電波受信状況検知部２０６で取得した信号雑音に基づいて認識された受信状況の悪い時間帯に関する情報を含むデータであるが、信号雑音の数値そのものを含むデータでもよい。
【００３１】
次に、図４のフローチャートにおいて、検出したデータが移動状況変化である場合（ステップＳ１０２−５）は、移動状況データを生成する（ステップＳ１０２−６）。図７は、ステップＳ１０２−５で生成される移動状況データの一例を示す模式図であり、（ａ）は移動状況検知部２０７で取得した移動速度の時間推移を示しており、（ｂ）は移動体受信装置２００における視聴状況を示しており、（ｃ）は移動状況データである。
【００３２】
移動状況データは、移動状況検知部２０７が取得した移動状況に関する情報に基づいて生成されるデータである。この例では、図７（ａ）のように、取得した走行速度に応じて走行中か停車中かを認識する。図７（ｂ）の塗りつぶしのある部分は、停車中であった時間帯を示している。図７（ｃ）の移動状況データは、停車中であった時間帯の開始時刻と終了時刻の情報を含んでいる。
【００３３】
なお、図７の移動状況データは、移動状況検知部２０７で取得した走行速度に応じて認識された車両の走行状態（走行中か停車中か）に関する情報を含むデータであるが、走行速度の数値そのものを含むものでもよい。また、車両の位置情報に関するデータや、この位置情報から認識される道路名などを含むデータでもよい。
【００３４】
次に、図４のフローチャートにおいて、検出したデータが操作入力である場合（ステップＳ１０２−７）は、マーキングデータを生成する（ステップＳ１０２−８）。ここで、移動体受信装置２００の操作入力部２０８がマーキングデータを生成する動作について説明する。
【００３５】
図８は、図４のフローチャートのステップＳ１０２−８において、マーキングデータを生成する動作の詳細を示すフローチャートである。まず、マーキングのタイプを選択する（ステップＳ２０１）。部分指定を選択した場合は、1度目の操作入力を検知し（ステップＳ２０２）、１回の操作入力時刻からマーキングデータを生成する（ステップＳ２０５）。範囲指定を選択した場合は、１度目の操作入力を検知（ステップＳ２０３）、２度目の操作入力を検知し（ステップＳ２０４）、２回の操作入力時刻からマーキングデータを生成する（ステップＳ２０５）。
【００３６】
図９は、移動体受信装置２００の操作入力部２０８によって生成されたマーキングデータの一例を示す模式図である。（ａ）は移動体受信装置２００における視聴状況を示しており、（ｂ）はマーキングデータである。
【００３７】
この例では、車内で視聴していたテレビ番組に対する部分指定が４回、範囲指定が３回行われたことを表している。部分指定を示すマーキングデータは、操作入力部２０８への操作入力があった１度の時刻情報を含んでいる。一方、範囲指定を示すマーキングデータは、操作入力部２０８への２度の時刻情報を含んでいる。なお、部分指定や範囲指定に関するマーキングデータの使用方法については後述する。以下、視聴者が操作入力部２０８を操作入力することでマーキングデータを生成する作業のことを「マーキング」と呼ぶ。
【００３８】
次に、本実施の形態に係るデータ送受信システムにおいて、記録再生装置１００と移動体受信装置２００との間で行われるデータ通信の動作について説明する。図１０は、記録再生装置１００と移動体受信装置２００との間で行われるデータ通信の動作を示すフローチャートである。左側のフローが記録再生装置１００の動作を、右側のフローが移動体受信装置２００の動作を示している。
【００３９】
移動体受信装置２００の電源が入ると（ステップＳ３０１）、移動体通信部２０５を介して、記録再生装置１００に対して録画開始命令を送信する（ステップＳ３０２）。記録再生装置１００は、通信部１０４を介して、移動体受信装置２００から送信された録画開始命令を受信すると（ステップＳ３０３）、テレビ番組の録画を開始する（ステップＳ３０４）。ここで、記録再生装置１００は通信が可能な状態であるものとする。
【００４０】
移動体受信装置２００は、録画開始命令を送信後、再生補助データの生成を行い（ステップＳ３０５）、再生補助データ管理部２０４に管理されている再生補助データを更新する（ステップＳ３０６）。ここで、終了指示がない場合（ステップＳ３０７でＮＯ）は、再生補助データの生成、更新を継続して行う。逆に、終了指示があった場合（ステップ３０７でＹＥＳ）は、移動体通信部２０５を介して、再生補助データ管理部２０４に管理されている再生補助データを記録再生装置１００へ送信する（ステップＳ３０８）。そして移動体受信装置２００の電源を切る（ステップＳ３０９）。
【００４１】
記録再生装置１００は、通信部１０４を介して、移動体受信装置２００から送信された再生補助データを受信すると（ステップＳ３１０）、受信した再生補助データをデータ管理部１０５に格納し（ステップＳ３１１）、テレビ番組の録画を終了する（ステップＳ３１２）。
【００４２】
なお、記録再生装置１００の記録部１０２が、常時複数チャンネルを並行して録画することが可能な場合には、少なくとも移動体受信装置２００で視聴しているテレビ番組は、全て記録再生装置１００の記録部１０２に録画しているため、移動体受信装置２００の電源が投入された場合や、移動体受信装置２００に対する終了指示があった場合に、それぞれ録画開始、録画終了動作を行わない。また、移動体受信装置２００においてチャンネルの切り替えがあるごとに再生補助データを記録再生装置１００へ送信し、記録再生装置１００では、受信した再生補助データに含まれるチャンネル情報に基づいて録画する番組を逐次変更するようにしてもよい。
【００４３】
また、図１０のステップ３０８において、再生補助データを移動体通信部２０５を介して、記録再生装置１００へ送信することにしたが、再生補助データをＳＤカードなどの記録媒体に記憶しておき、記録再生装置１００で読み込むような構成にしてもよい。
【００４４】
次に、本実施の形態に係るデータ送受信システムにおいて、記録再生装置１００の記録部１０２で記録したテレビ番組を、データ管理部１０５に管理された再生補助データに基づいて再生する動作について説明する。
【００４５】
記録再生装置１００の記録部１０２で記録したテレビ番組を再生する際には、データ管理部１０５に管理された再生補助データに含まれる情報を単独あるいは組み合わせて利用することで、ユーザが移動体受信装置２００で視聴したテレビ番組の中から希望した部分を容易に再生することができる。図１１は、記録再生装置１００の記録部１０２に記録したテレビ番組を、データ管理部１０５に管理された再生補助データに基づいて再生する際の動作を示すフローチャートである。
【００４６】
まず、放送番組データに基づき再生するテレビ番組を選択する（ステップＳ４０１）。続いて、検出データに基づき再生する部分を選択（ステップＳ４０２）し、指定された部分の再生を開始する（ステップＳ４０３）。放送番組データは、視聴日時、チャンネルなどの情報を含んでおり、これらを用いて再生したいテレビ番組を選択する。また、検出データは、電波受信状況、移動状況、ユーザによるマーキングに関する情報を含んでおり、選択したテレビ番組のうち、どの部分を再生するかを指定する。
【００４７】
なお、本システムにおける検出データは複数のデータを含んでいるが、再生する部分を指定する際には、この複数のデータを用いることができるものとする。また、選択順序もユーザが自由に決定できるものとする。
【００４８】
次に、本実施の形態に係るデータ送受信システムにおいて、記録再生装置１００の記録部１０２で記録したテレビ番組を、データ管理部１０５に管理された再生補助データに基づいて再生する際の、再生方法の詳細について説明する。まず、放送受信データと電波受信状況データとから生成された再生補助データを再生する際に利用する場合について説明する。
【００４９】
図１２は、電波受信状況データと放送番組データとから生成される再生補助データと、その再生補助データに基づく再生の一例を示す模式図であり、（ａ）は再生補助データを示しており、（ｂ）は電波受信状況検知部２０６が取得した信号雑音の時間推移を示すグラフを示しており、（ｃ）は移動体受信装置２００におけるテレビ番組の受信状況を示しており、（ｄ）は記録再生装置１００における再生の状況を示している。
【００５０】
図１２（ａ）の再生補助データは、放送番組データに含まれる視聴日時とチャンネル情報、電波受信状況データに含まれる受信状態が悪い時間帯の時刻情報から構成されている。図１２（ｂ）のように信号雑音が一定閾値よりも高い部分は、移動体受信装置２００でテレビ番組を視聴中に、映像品質が悪かったと判定される。そこで、図１２（ｄ）のように、記録再生装置１００で再生する際には、移動体受信装置２００でテレビ番組を視聴している時間内に映像品質が悪かった時間帯のみを再生する。
【００５１】
次に、放送受信データと移動状況データとから生成された再生補助データを再生する際に利用する場合について説明する。図１３は、放送番組データと移動状況データとから構成される再生補助データと、その再生補助データに基づく再生の一例を示す模式図であり、（ａ）再生補助データ、（ｂ）移動状況検知部２０７が取得した走行速度の時間推移を示すグラフ、（ｃ）移動体受信装置２００におけるテレビ番組の視聴状況、（ｄ）記録再生装置１００における再生の状況である。
【００５２】
図１３（ａ）の再生補助データは、放送番組データに含まれる視聴日時とチャンネル情報、移動状況データに含まれる停車中であった時間帯の時刻情報から構成されている。図１３（ｂ）のように走行速度から車両が走行中であったか停車中であったかを判定する。車両においては、走行中の映像表示が禁止されているため、走行中の時間帯はテレビ番組の映像を見ることができなかった時間帯である。そこで、図１３（ｄ）のように、記録再生装置１００で再生する際には、移動体受信装置２００でテレビ番組を視聴している時間内に走行中であった時間帯のみを再生する。
【００５３】
次に、放送受信データと部分指定に関するマーキングデータとから生成された再生補助データを再生する際に利用する場合について説明する。図１４は、放送番組データと部分指定に関するマーキングデータとから構成される再生補助データと、その再生補助データに基づく再生の一例を示す模式図であり、（ａ）は再生補助データを示しており、（ｂ）は部分指定に関するマーキングデータを利用して再生する範囲を示しており、（ｃ）は移動体受信装置２００におけるテレビ番組の視聴状況を示しており、（ｄ）は記録再生装置１００における再生の状況を示している。
【００５４】
図１４（ａ）の再生補助データは、放送番組データに含まれる視聴日時とチャンネル情報、マーキングデータに含まれる１度の操作入力時刻の情報から構成されている。記録再生装置１００で再生する際には、図１４（ｂ）のように、操作入力のあった時刻の前後数十秒の所定時間内に含まれる部分を再生範囲（以下、ハイライトシーン）として、ハイライトシーンのみを再生する。以下、ハイライトシーンのみを再生する再生方法のことを‘ハイライト再生’と呼ぶ。このハイライト再生は、例えば車内でサッカーを視聴中にゴールシーンに対する部分指定を行い、家でゴールシーンのみを連続して再生する際に利用することができる。
【００５５】
次に、放送受信データと範囲指定に関するマーキングデータとから生成された再生補助データを再生する際に利用する場合について説明する。図１５は、再生補助データのうち、放送番組データと範囲指定に関するマーキングデータとから構成される再生補助データと、その再生補助データに基づく再生の一例を示す模式図であり、（ａ）は再生補助データを示しており、（ｂ）は範囲指定に関するマーキングデータを利用して再生する範囲を示しており、（ｃ）は移動体受信装置２００におけるテレビ番組の視聴状況を示しており、（ｄ）は記録再生装置１００における再生の状況を示している。
【００５６】
図１５（ａ）の再生補助データは、放送番組データに含まれる視聴日時とチャンネル情報、マーキングデータに含まれる２度の操作入力時刻の情報から構成されている。記録再生装置１００で再生する際には、図１５（ｂ）のように、操作入力のあった時刻をそれぞれ開始時刻、終了時刻とする部分を再生範囲として、範囲指定された部分を再生する。以下、範囲指定された部分のみを再生する再生方法のことを‘抜き出し再生’と呼ぶ。この抜き出し再生は、例えば車内でボクシングを視聴中に各ラウンドに対して範囲指定を行い、家で各ラウンドを連続して再生する際に利用することができる。
【００５７】
なお、操作入力のあった時刻をそれぞれ開始時刻、終了時刻とする部分を除外して再生することもできる。この除外再生は、例えば車内でドラマを視聴中にＣＭに対して範囲指定を行い、家でＣＭを除く範囲のドラマを再生する際に利用することができる。
【００５８】
図１６は、放送番組データと範囲指定に関するマーキングデータとから構成される再生補助データと、その再生補助データに基づく再生の一例を示す模式図であり、（ａ）は再生補助データを示しており、（ｂ）は範囲指定に関するマーキングデータを利用して再生から除外する範囲を示しており、（ｃ）は移動体受信装置２００におけるテレビ番組の視聴状況を示しており、（ｄ）は記録再生装置１００における再生の状況を示している。以下、範囲指定された部分を除外して再生することを‘間引き再生’と呼ぶ。
【００５９】
図１６（ａ）の再生補助データは、図１５と同じものである。図１６（ｂ）のように、再生補助データに含まれる操作入力のあった時刻をそれぞれ開始時刻、終了時刻とする部分を再生から除外し、それ以外の部分を再生する。
【００６０】
なお、範囲指定に関するマーキングデータを、抜き出し再生に利用するか間引き再生に利用するかは、再生の際に選択することができる。
【００６１】
これまでは、放送番組データと検出データのうちひとつとから構成される再生補助データに基づいて再生する場合について説明したが、検出データは、電波受信状況データ、移動状況データ、マーキングデータのうち複数もしくは全てを含むものでもよい。以下、その一例として、放送番組データと移動状況データとから構成される再生補助データと、放送番組データとマーキングデータとから構成される再生補助データとに基づいて再生する場合について説明する。
【００６２】
図１７は、放送番組データと移動状況データとマーキングデータとから構成される再生補助データを再生に利用した一例を示す模式図であり、（ａ）は移動状況データを含む再生補助データを示しており、（ｂ）はマーキングデータを含む再生補助データを示しており、（ｃ）は移動体受信装置２００におけるテレビ番組の視聴状況を示しており、（ｄ）はマーキングデータを利用して再生する範囲を示しており、（ｅ）は記録再生装置１００における再生の状況を示している。
【００６３】
図１７（ｄ）に示すように、ユーザによるマーキングによって、いくつかの部分指定、範囲指定が行われているが、中には走行中で映像の表示ができなかったものも含まれる。これらのマーキングデータは、走行中に流れている音声のみに基づいて生成されたものである。家で再生する際には、図１７（ｅ）のように車内において部分指定や範囲指定された時間帯の中で、走行中で映像の表示ができなかった部分のみを再生することができる。
【００６４】
次に、記録再生装置１００の再生部１０３で再生する際に、再生補助データに基づいて生成された各種情報を表示させる場合の、表示部１０６における表示内容について説明する。図１８は、記録再生装置１００の再生部１０３における再生の際の、表示部１０６における表示画面の一例を示す模式図である。この例は、再生補助データに含まれる移動状況データとマーキングデータを用いて、ハイライト再生する際の表示画面の様子を示している。
【００６５】
全体の表示画面１２０には、再生補助データに基づいて再生しているテレビ番組の映像を表示する領域２２０に加えて、再生補助データに含まれる各種情報を表示する領域３２０、４２０が表示されている。領域３２０には、テレビ番組を視聴中の車両走行状態（走行中か停車中か）に関する情報と、ユーザによるマーキングに関する情報が表示されている。また、領域４２０には、再生中のテレビ番組を視聴していた時刻における移動体受信装置２００の位置情報が地図上に表示されている。
【００６６】
このように、選択した再生補助データに基づくテレビ番組の映像と同時に、複数の再生補助データを表示することで、ユーザは車内で視聴したテレビ番組と、視聴中の状況を対応づけて視聴することができる。例えば、走行位置を手がかりに、ハイライトシーンの中から再生したいものを選択することができる。
【００６７】
なお、地図データは記録部１０２に保存されているものとし、移動状況データに含まれる位置情報に基づいて、自車位置を含む地図画面が生成される。
【００６８】
また、再生しているテレビ番組の時間変化に合わせて再生補助データに基づく情報を逐次更新することもできる。図１８の例では、再生中のテレビ番組の再生時刻変化に応じて、領域３２０の再生中の指定部分を示す矢印を右へ移動させたり、領域４２０で表示している地図上の走行位置を変化させたりすることができる。また、表示部１０６としてタッチパネルなどが採用されている場合には、画面上に表示された各種情報（矢印や地図情報など）を手で直接選択することで、再生する部分を指定することもできる。
【００６９】
本実施の形態に係る送受信システムによれば、車内で視聴しているテレビ番組を家で録画しておき、電波受信状況や移動状況などの車内における視聴状況に関する情報、さらには、ユーザによるマーキングした情報などを車から家に送信し、家で録画した番組を再生する際に利用することができる。これにより、車で視聴したテレビ番組を家で確認するときに、ユーザが希望する部分の放送番組を容易に再生することができる。
【産業上の利用可能性】
【００７０】
以上のように、本発明に係る移動体受信装置、記録再生装置および送受信システムは、移動体受信装置で視聴した放送番組のうち、視聴者が視聴困難であった部分の放送番組または再視聴を希望する部分の放送番組を容易に再生することができるという効果を有し、車などに搭載された移動体受信装置から送られたデータに基づいて放送番組を記録再生する家庭用の記録再生装置および送受信システム等として有用である。また、家庭に限らず、車や、放送受信機能を有する携帯電話などのモバイル端末などに搭載する記録再生装置として応用できる。
【図面の簡単な説明】
【００７１】
【図１】本発明の一実施形態に係る送受信システムの構成を示すブロック図
【図２】再生補助データ生成部２０３が再生補助データを生成する動作を示すフローチャート
【図３】再生補助データの内容を示す模式図
【図４】図２のフローチャートのステップＳ１０２において再生補助データを生成する動作の詳細を示すフローチャート
【図５】放送番組データの一例を示す模式図
【図６】電波受信状況データの一例を示す模式図
【図７】移動状況データの一例を示す模式図
【図８】図４のフローチャートのステップＳ１０２−８においてマーキングデータを生成する動作の詳細を示すフローチャート
【図９】マーキングデータの一例を示す模式図
【図１０】記録再生装置１００と移動体受信装置２００との間で行われるデータ通信の動作を示すフローチャート
【図１１】記録したテレビ番組を再生補助データに基づいて再生する際の動作を示すフローチャート
【図１２】電波受信状況データと放送番組データとから生成される再生補助データとその再生補助データに基づく再生の一例を示す模式図
【図１３】放送番組データと移動状況データとから構成される再生補助データとその再生補助データに基づく再生の一例を示す模式図
【図１４】放送番組データと部分指定に関するマーキングデータとから構成される再生補助データとその再生補助データに基づく再生の一例を示す模式図
【図１５】放送番組データと範囲指定に関するマーキングデータとから構成される再生補助データとその再生補助データに基づく再生の一例を示す模式図
【図１６】放送番組データと範囲指定に関するマーキングデータとから構成される再生補助データとその再生補助データに基づく再生の一例を示す模式図
【図１７】放送番組データと移動状況データとマーキングデータとから構成される再生補助データを再生に利用した一例を示す模式図
【図１８】表示部１０６における表示画面の一例を示す模式図
【符号の説明】
【００７２】
１００    記録再生装置
１０１    受信部
１０２    記録部
１０３    再生部
１０４    通信部
１０５    データ管理部
１０６    表示部
２００    移動体受信装置
２０１    移動体受信部
２０２    移動体再生部
２０３    再生補助データ生成部
２０４    再生補助データ管理部
２０５    移動体通信部
２０６    電波受信状況検知部
２０７    移動状況検知部
２０８    操作入力部
【図１】
2005277641.tif 000003
【図２】
2005277641.tif 000004
【図３】
2005277641.tif 000005
【図４】
2005277641.tif 000006
【図５】
2005277641.tif 000007
【図６】
2005277641.tif 000008
【図７】
2005277641.tif 000009
【図８】
2005277641.tif 000010
【図９】
2005277641.tif 000011
【図１０】
2005277641.tif 000012
【図１１】
2005277641.tif 000013
【図１２】
2005277641.tif 000014
【図１３】
2005277641.tif 000015
【図１４】
2005277641.tif 000016
【図１５】
2005277641.tif 000017
【図１６】
2005277641.tif 000018
【図１７】
2005277641.tif 000019
【図１８】
2005277641.tif 000020